(57)【要約】【課題】  情報処理装置の電源ユニットにおいて、電源ケーブルのケーブル長を調節できるようにして、線数が多数あるコネクタ及び各デバイス接続用のコネクタのケーブル長が違う電源ケーブルを接続する筐体構造が異なる装置にも電源を共用化することができるとともにケーブルの余長をなくすことができる電源ユニットを提供する。【解決手段】  本発明の電源ユニットは、情報処理装置のメイン基板やドライブに電源ケーブルを介して電源を供給する電源ユニット本体と、前記電源ユニット本体に着脱可能に接続し、少なくとも前記メイン基板に接続する固定長の電源ケーブルと接続先に応じてケーブルの引き出しと収納が可能なケーブル収納ユニットによりケーブル長を可変できる可変長の電源ケーブルとから成るケーブルユニットと、を備えるようにした。【選択図】図１
2007188371.tif 000002
【特許請求の範囲】
【請求項１】
情報処理装置のメイン基板やドライブに電源ケーブルを介して電源を供給する電源ユニット本体と、
前記電源ユニット本体に着脱可能に接続し、少なくとも前記メイン基板に接続する固定長の電源ケーブルと接続先に応じてケーブルの引き出しと収納が可能なケーブル収納ユニットによりケーブル長を可変できる可変長の電源ケーブルとから成るケーブルユニットと、を備えたことを特徴とする電源ユニット。
【発明の詳細な説明】
【技術分野】
【０００１】
本考案は、情報処理装置の電源供給装置に関し、リムーバブルデバイス及びマザーボード等のパッケージ基板に電源を供給するための電源ケーブルのケーブル長を調節することを特徴とする電源ユニットにおけるケーブル長の調節機構。
【背景技術】
【０００２】
従来、情報処理装置に使用している電源ユニットと電源用ＤＣケーブルは一体型の構成であり、筐体の構造によって必要とするケーブル長が変わってくる為、モデルが変わりマザーボードや筐体が変更になるたびに電源のケーブル長を検討して必要に応じて電源のケーブル長を変更する必要があった。また、リムーバブルデバイスは保守作業時にシステム装置の前面からデバイスを取り出して交換することがあり、ドライブ背面の電源ＤＣケーブルとインターフェイスケーブル長に余長をもたせる必要があった。しかし、電源ＤＣケーブルに余長をもたせるとＣＤ−ＲＯＭドライブ及びＭＯドライブや各種リムーバブルデバイスの背面で余長処理が発生し筐体の構造によっては余長処理が困難になってしまっていた。また、保守作業時にケーブルの余長部分が周囲の障害物により破損しやすいという問題点があった。
【０００３】
この為、電源用ＤＣケーブルのケーブル長を可変させる必要があり、このように電源ケーブルのケーブル長を可変させる従来技術としては、例えば特許文献１に記載の技術がある。特許文献１の主な特徴はＡＣアダプタ本体に電源ケーブルの収納スペースを設け、電源ケーブルの引き出しと収納することが可能な電源ケーブル収納機構を設けることにある。
【０００４】
【特許文献１】特開２０００−１５９４４５号公報
【発明の開示】
【発明が解決しようとする課題】
【０００５】
しかしながら、上記特許文献に記載されている技術を情報処理装置の電源ユニットに適用する場合には以下のような問題点がある。電源ユニットに電源ケーブルを収納するリールを設け、これによって電源ケーブルを巻き取り収納する。このように電源ユニットの内部にリールを設けるには従来技術のＡＣアダプタに収納装置を設ける場合と異なり、電源ケーブルとリール間のインターフェースをどのような方法で実現するかという問題があった。また、マザーボードへ接続するＡＴＸ２４Ｐｉｎ等の線数が多いケーブルはリールに収納するのが困難でありケーブル長を調節することができないという問題がある。
【０００６】
本発明の目的は、上記の従来技術の問題点を解消し、情報処理装置の電源ユニットにおいて、電源ケーブルのケーブル長を調節することができる電源ユニットを提供することである。
【課題を解決するための手段】
【０００７】
本発明の電源ユニットは、情報処理装置のメイン基板やドライブに電源ケーブルを介して電源を供給する電源ユニット本体と、前記電源ユニット本体に着脱可能に接続し、少なくとも前記メイン基板に接続する固定長の電源ケーブルと接続先に応じてケーブルの引き出しと収納が可能なケーブル収納ユニットによりケーブル長を可変できる可変長の電源ケーブルとから成るケーブルユニットと、を備えるようにした。
【発明の効果】
【０００８】
本発明によれば、情報処理装置の電源ユニットにおいて、線数が多数あるコネクタ及び各デバイス接続用のコネクタのケーブル長を調節が可能となり筐体構造が異なる装置にも電源を共用化することができケーブルの余長をなくすことが可能となる。例えば、リムーバブルデバイスの交換等の保守作業時にシステム装置の前面からリムーバブルデバイスを取り出して交換する際にリムーバブルデバイスと一緒にＤＣケーブルも引き出されデバイスの交換を容易に行うことが出来る。
【０００９】
また、従来技術では情報処理装置のマザーボード等のプリント基板に接続されるＤＣケーブルは線数が多く、ケーブル収納ユニットでの収納及びケーブル長を調節することが困難であったが、本考案によってケーブル長は固定であるが、接続先との距離に応じて任意の長さのＤＣケーブルを接続可能な機構を実現することができる。
【発明を実施するための最良の形態】
【００１０】
以下、本発明の実施形態を図面に基づいて詳細に説明する。
図１は情報処理装置の電源ユニットにおける電源ケーブル長の調節機構を構築した一例である。本実施例の電源ユニットにおける電源ケーブル長の調節機構の基本構成は、図１に示す様に、電源ユニット１は各デバイスに接続されるＤＣケーブルをなくし、ケーブルレス化とする。電源ユニット１からの電源供給のインターフェースとして電源ユニット１に設けたＤＣコネクタ２、ＤＣコネクタ３、ＡＴＸ２４Ｐｉｎコネクタ４、ＡＴＸ１２Ｐｉｎコネクタ５、ＡＴＸ４Ｐｉｎコネクタ６が設置され、ＤＣコネクタ２及びＤＣコネクタ３へはケーブル収納ユニット９及びケーブル収納ユニット１３がケーブル収納ユニット付属コネクタ７、ケーブル収納ユニット付属コネクタ８により接続される。
【００１１】
ケーブル収納ユニット９及びケーブル収納ユニット１３より引き出されたＤＣケーブル１０及びＤＣケーブル１４は主に情報処理装置のリムーバブルデバイスへ接続する。また、ＡＴＸ２４Ｐｉｎコネクタ４へはＡＴＸ２４Ｐｉｎケーブル２１がＡＴＸ２４Ｐｉｎコネクタ１８により接続され、ＡＴＸ４Ｐｉｎコネクタ６へはＡＴＸ４Ｐｉｎケーブル２３がＡＴＸ４Ｐｉｎコネクタ２０により接続され、それぞれマザーボード３２へ接続しＤＣ電源を供給する。ＡＴＸ１２Ｐｉｎコネクタ５へはＡＴＸ１２Ｐｉｎケーブル２２がＡＴＸ１２Ｐｉｎコネクタ１９により接続されＳＣＳＩバックプレーンボード３１へＤＣ電源を供給する。
【００１２】
つぎに図2により、本実施例の電源ユニットを情報処理想到に搭載した状態を説明する。図２は情報処理装置へ請求項１に記載の電源ユニットを搭載した一例である。図２に示す様に電源ユニット１に接続されたケーブル収納ユニット９及びケーブル収納ユニット１３はケーブル長を可変するためのケーブル収納ユニットであって、電源ケーブルを引き出し、任意の長さに調節でき、ケーブルを巻き取って収納することもできる機構を持ったリール（図示せず）を有している。
【００１３】
ケーブル収納ユニット９から引き出された可変長のＤＣケーブル１０に付属のＤＣコネクタ１１及びＤＣコネクタ１２はリムーバブルデバイスのＤＡＴチェンジャー２７へ接続される。また、ケーブル収納ユニット１３から引き出された可変長のＤＣケーブル１４に付属のＤＣコネクタ１５はＭＯドライブ２８、ＤＣコネクタ１６はＣＤ−ＲＯＭドライブ２９、フロッピー（登録商標）ディスクドライブ用ＤＣコネクタ１７はフロッピーディスクドライブ３０へそれぞれ接続され、リムーバブルデバイスの交換等の保守作業時にシステム装置の前面からリムーバブルデバイスを取り出して交換する際にリムーバブルデバイスと一緒にＤＣケーブルも引き出されデバイスの交換を容易に行うことが出来る。
【００１４】
また、従来技術では情報処理装置のマザーボード等のプリント基板に接続されるＤＣケーブルは線数が多く、ケーブル収納ユニットでの収納及びケーブル長を調節することが困難であったが、本考案によってケーブル長は固定であるが、接続先との距離に応じて任意の長さのＤＣケーブルを接続可能な機構を実現することができる。図３に示す様に電源ユニット１に接続されたＡＴＸ２４Ｐｉｎコネクタ４へはＡＴＸ２４Ｐｉｎケーブル２１がＡＴＸ２４Ｐｉｎコネクタ１８により接続されＡＴＸ２４Ｐｉｎコネクタ２４はマザーボード３２のＡＴＸ２４Ｐｉｎコネクタ３４へ接続され、ＡＴＸ４Ｐｉｎコネクタ６へはＡＴＸ４Ｐｉｎケーブル２３がＡＴＸ４Ｐｉｎコネクタ２０により接続されＡＴＸ４Ｐｉｎコネクタ２６はマザーボード３２のＡＴＸ４Ｐｉｎコネクタ３５へ接続される。また、ＡＴＸ１２Ｐｉｎコネクタ５へはＡＴＸ１２Ｐｉｎケーブル２２がＡＴＸ１２Ｐｉｎコネクタ１９により接続されＡＴＸ１２Ｐｉｎコネクタ２５はＳＣＳＩバックプレーンボード３１のＡＴＸ１２Ｐｉｎコネクタ３３へ接続される。
【００１５】
以上の機構により、線数が多数あるコネクタ及び各リムーバブルデバイス接続用のケーブル長をリムーバブルデバイス及びマザーボードの実装位置に応じて調節が可能となり、この為、ケーブル破損の機会が少なくなると共に、筐体構造が異なる装置にも電源を共用化することができケーブルの余長をなくすことが可能となる。なお、本実施の形態においては、説明した構成部材の数、位置、形状等は上記実施の形態に限定されるものではない。
【図面の簡単な説明】
【００１６】
【図１】電源ケーブルの調節機構を示した図である。
【図２】ケーブル収納ユニットによりケーブル長を可変できる機構を説明する図である。
【図３】接続先との距離に応じて任意の長さのＤＣケーブルが接続可能である機構を説明する図である。
【符号の説明】
【００１７】
１…電源ユニット、２…ＤＣコネクタ（４Ｐｉｎ）、３…ＤＣコネクタ（４Ｐｉｎ）、
４…ＡＴＸ２４Ｐｉｎコネクタ、５…ＡＴＸ１２Ｐｉｎコネクタ、
６…ＡＴＸ４Ｐｉｎコネクタ、
７…ケーブル収納ユニット付属ＤＣコネクタ（４Ｐｉｎ）、
８…ケーブル収納ユニット付属ＤＣコネクタ（４Ｐｉｎ）、
９…ケーブル収納ユニット、１０…ＤＣケーブル（４Ｐｉｎ）、
１１…ＤＣコネクタ（４Ｐｉｎ）、１２…ＤＣコネクタ（４Ｐｉｎ）、
１３…ケーブル収納ユニット、１４…ＤＣケーブル（４Ｐｉｎ）、
１５…ＤＣコネクタ（４Ｐｉｎ）、１６…ＤＣコネクタ（４Ｐｉｎ）、
１７…フロッピーディスクドライブ用ＤＣコネクタ（４Ｐｉｎ）、
１８…ＡＴＸ２４Ｐｉｎコネクタ、１９…ＡＴＸ１２Ｐｉｎコネクタ、
２０…ＡＴＸ４Ｐｉｎコネクタ、２１…ＡＴＸ２４Ｐｉｎケーブル、
２２…ＡＴＸ１２Ｐｉｎケーブ、２３…ＡＴＸ４Ｐｉｎケーブ、
２４…ＡＴＸ２４Ｐｉｎコネクタ、２５…ＡＴＸ１２Ｐｉｎコネクタ、
２６…ＡＴＸ４Ｐｉｎコネクタ、２７…ＤＡＴチェンジャー、２８…ＭＯドライブ、
２９…ＣＤ−ＲＯＭドライブ、３０…フロッピーディスクドライブ、
３１…ＳＣＳＩバックプレーンボード、３２…マザーボード、
３３…ＡＴＸ１２Ｐｉｎコネクタ、３４…ＡＴＸ２４Ｐｉｎコネクタ、
３５…ＡＴＸ４Ｐｉｎコネクタ、３６…ハードディスク
【図１】
2007188371.tif 000003
【図２】
2007188371.tif 000004
【図３】
2007188371.tif 000005